(57)【要約】【課題】ユーザが自身の携帯端末以外のデジタル放送受信装置で視聴しているテレビ画像からその番組を放送しているチャンネルを自動選局可能な携帯端末を提供する。【解決手段】トランスポートストリーム（ＴＳ）データ受信部１０６が、チューナ１０４により選局されたチャンネルのデジタル放送波を受信してＴＳデータを復調し、デコード処理部１０７が、ＴＳデータをデコードして放送画像データを復元する。カメラ１００が、デジタル放送受信装置の画面上の表示画像を撮影してカメラ画像データを出力する。画像比較処理部１１０が、チューナ１０４によりチャンネルを順次切り替えながら得られた放送画像データと、カメラ画像データとの差分値のうち少なくとも最小の差分値が得られたチャンネル候補を選局処理部１１１に通知し、選局処理部１１１は、通知されたチャンネル候補を目的のチャンネルとしてチューナ１０４に選局させる。【選択図】図１
2008005250.tif 000002
【特許請求の範囲】
【請求項１】
デジタル放送のチャンネルを選局するチューナと、
選局されたチャンネルのデジタル放送波を受信してトランスポートストリームデータを復調するトランスポートストリームデータ受信部と、
前記トランスポートストリームデータをデコードして放送画像データを復元するデコード処理部と、
他のテレビ画面上の表示画像を撮影してカメラ画像データを出力するカメラと、
前記チューナによりチャンネルを順次切り替えながら得られた放送画像データと、前記カメラ画像データとの差分値のうち少なくとも最小の差分値が得られたチャンネル候補を通知する画像比較処理部と、
前記画像比較処理部から通知されたチャンネル候補を目的のチャンネルとして前記チューナに選局させる選局処理部とを備えたことを特徴とする携帯端末。
【請求項２】
前記携帯端末はさらに、前記放送画像データを複数の静止画像として格納する放送画像データ記録部と、前記カメラ画像データを複数の静止画像として格納するカメラ画像データ記録部とを備え、
前記画像比較処理部は、一つのチャンネルに対して、前記放送画像データ記録部から読み出した複数の静止画像のそれぞれと前記カメラ画像データ記録部から読み出した複数の静止画像のそれぞれについて差分値を算出することを特徴とする請求項１記載の携帯端末。
【請求項３】
前記放送画像データは、前記チューナによりチャンネルを初期値から昇順に切り替えながら得られることを特徴とする請求項１記載の携帯端末。
【請求項４】
前記選局処理部は、前記チューナによりチャンネルを順次切り替える際に、ユーザにより予め指定されたジャンル情報に関する番組を放送するチャンネルを優先して前記チューナに選局させることを特徴とする請求項１記載の携帯端末。
【請求項５】
前記放送画像データと前記カメラ画像データは、それぞれ、前記放送画像データ記録部と前記カメラ画像データ記録部に並列に格納されることを特徴とする請求項２記載の携帯端末。
【請求項６】
前記携帯端末はさらに、前記デジタル放送受信装置の画面上の表示画像を撮影するためのガイドを表示する表示部を備えることを特徴とする請求項１記載の携帯端末。
【請求項７】
前記画像比較処理部は、前記最小の差分値が得られたチャンネル候補とともに、前記最小の差分値との差が所定値以内である差分値が得られたチャンネル候補を前記選局処理部に通知し、前記選局処理部は、複数のチャンネル候補のうちユーザにより選択されたチャンネル候補を目的のチャンネルとして前記チューナに選局させることを特徴とする請求項１記載の携帯端末。
【請求項８】
前記カメラから出力されるカメラ画像データは静止画データであることを特徴とする請求項１記載の携帯端末。
【請求項９】
デジタル放送のチャンネル選局処理をコンピュータに実行させるプログラムであって、
携帯端末のチューナにより選局されたチャンネルのデジタル放送波を受信してトランスポートストリームデータを復調するステップと、
前記トランスポートストリームデータをデコードして放送画像データを復元するステップと、
他のテレビ画面上の表示画像を前記携帯端末のカメラで撮影してカメラ画像データを取得するステップと、
前記チューナによりチャンネルを順次切り替えながら得られた放送画像データと、前記カメラ画像データとの差分値のうち少なくとも最小の差分値が得られたチャンネル候補を通知するステップと、
通知されたチャンネル候補を目的のチャンネルとして選局するステップとを含む処理をコンピュータに実行させることを特徴とするプログラム。
【発明の詳細な説明】
【技術分野】
【０００１】
本発明は、デジタル放送の自動チャンネル選局機能を有する携帯端末およびデジタル放送の自動チャンネル選局処理をコンピュータに実行させるプログラムに関する。
【背景技術】
【０００２】
近年、社団法人電波産業会（ＡＲＩＢ）により提案された「デジタル放送に使用する番組配列情報」標準規格（ＡＲＩＢ  ＳＴＤ−Ｂ１０規格）に準拠したデジタル放送を受信できる携帯電話、ノートＰＣなどの携帯端末が開発されている。ユーザは、携帯端末でデジタル放送波を受信し、テレビ放送信号に多重化された、チャンネル名（放送局名に対応）、ジャンル、番組名、放送日時、番組内容等の情報を含む電子番組表（ＥＰＧ：Ｅｌｅｃｔｒｉｃ  Ｐｒｏｇｒａｍ  Ｇｕｉｄｅ：以下ＥＰＧデータと呼ぶ）を取得し、各放送局の番組表を携帯端末の画面上に表示して、視聴を希望する番組のチャンネル選択を行う。
【特許文献１】特開２００３−３３３４４１号公報
【発明の開示】
【発明が解決しようとする課題】
【０００３】
しかしながら、地域によって同じ番組でもチャネル番号が異なるため、視聴中のテレビ画面からはその番組を放送しているチャンネル名を判別することが困難な場合がある。また、ＥＰＧデータを取得したとしても、視聴中のテレビ画面から番組名を判別することが困難な場合もある。そのため、外出先で、ユーザが所持しているデジタル放送受信機能付の携帯端末以外のデジタル放送受信装置で視聴していた番組を、引き続きユーザが所持している携帯端末で視聴したくてもできない場合があった。
【０００４】
本発明は、かかる課題を解決するものであり、手動でのチャンネル選択や、ＥＰＧデータを用いたチャンネル選択を行うことなく、ユーザが自身の携帯端末以外のテレビで視聴しているテレビ画面をカメラで撮影することで、その番組を放送しているチャンネルを自動的に選局することができる携帯端末およびチャンネル選局をコンピュータに実行させるプログラムを提供することを目的とする。
【課題を解決するための手段】
【０００５】
本発明に係る携帯端末は、デジタル放送のチャンネルを選局するチューナと、選局されたチャンネルのデジタル放送波を受信してトランスポートストリーム（ＴＳ）データを復調するＴＳデータ受信部と、前記ＴＳデータをデコードして放送画像データを復元するデコード処理部と、他のテレビ画面上の表示画像を撮影してカメラ画像データを出力するカメラと、前記チューナによりチャンネルを順次切り替えながら得られた放送画像データと、前記カメラ画像データとの差分値のうち少なくとも最小の差分値が得られたチャンネル候補を通知する画像比較処理部と、前記画像比較部から通知されたチャンネル候補を目的のチャンネルとして前記チューナに選局させる選局処理部とを含む。
【０００６】
本発明に係るプログラムは、デジタル放送のチャンネル選局処理をコンピュータに実行させるプログラムであって、携帯端末のチューナにより選局されたチャンネルのデジタル放送波を受信してトランスポートストリーム（ＴＳ）データを復調するステップと、前記ＴＳデータをデコードして放送画像データを復元するステップと、他のテレビ画面上の表示画像を前記携帯端末のカメラで撮影してカメラ画像データを取得するステップと、前記チューナによりチャンネルを順次切り替えながら得られた放送画像データと、前記カメラ画像データとの差分値のうち少なくとも最小の差分値が得られたチャンネル候補を通知するステップと、通知されたチャンネル候補を目的のチャンネルとして選局するステップとを含む処理をコンピュータに実行させることを特徴とする。
【０００７】
上記の構成によれば、自身の携帯端末のカメラで、該携帯端末以外のテレビ画面上の表示画像を撮影しカメラ画像データを取得するとともに、自身の携帯端末のチューナによりチャンネルを切り替えながら放送画像データを取得する。チャンネル毎の放送画像データとカメラ画像データとの差分値のうち少なくとも最小の差分値を示すチャンネルが目的のチャンネルに対するチャンネル候補として選局される。
【０００８】
これにより、手動でのチャンネル選択や、ＥＰＧデータを用いたチャンネル選択を行うことなく、ユーザが自身の携帯端末以外のテレビで視聴しているテレビ画面をカメラで撮影することで、その番組を放送しているチャンネルが自動的に選局され、ユーザは自身の携帯端末で同じ番組を引き続き視聴することができる。
【０００９】
本発明に係る携帯端末はさらに、前記放送画像データを複数の静止画像として格納する放送画像データ記録部と、前記カメラ画像データを複数の静止画像として格納するカメラ画像データ記録部とを備え、前記画像比較処理部は、一つのチャンネルに対して、前記放送画像データ記録部から読み出した複数の静止画像のそれぞれと前記カメラ画像データ記録部から読み出した複数の静止画像のそれぞれについて差分値を算出することが好ましい。
【００１０】
この構成によれば、一つのチャンネルに対して複数の静止画同士を比較し、それぞれの差分値を算出することで、比較の精度を向上させることができる。
【００１１】
本発明に係る携帯端末において、前記放送画像データは、前記チューナによりチャンネルを初期値から昇順に切り替えながら得られることが好ましい。
【００１２】
本発明に係る携帯端末において、前記選局処理部は、前記チューナによりチャンネルを順次切り替える際に、ユーザにより予め指定されたジャンル情報に関する番組を放送するチャンネルを優先して前記チューナに選局させることが好ましい。
【００１３】
この構成によれば、自動チャンネル選局を行う時に、ユーザが指定したジャンルのみから番組を選局することで、チャンネルの検索時間を短くすることができる。
【００１４】
本発明に係る携帯端末において、前記放送画像データと前記カメラ画像データは、それぞれ、前記放送画像データ記録部と前記カメラ画像データ記録部に並列に格納されることが好ましい。
【００１５】
この構成によれば、放送画像データとカメラ画像データを並列に記録することで、放送画像とカメラ画像が同時刻の画像であると保証することができる。
【００１６】
本発明に係る携帯端末はさらに、前記デジタル放送受信装置の画面上の表示画像を撮影するためのガイドを表示する表示部を備えることが好ましい。
【００１７】
この構成によれば、ユーザは表示部のガイド内にカメラ画像を収めることで、カメラ画像データの切り出しが容易になる。
【００１８】
本発明に係る携帯端末において、前記画像比較処理部は、前記最小の差分値が得られたチャンネル候補とともに、前記最小の差分値との差が所定値以内である差分値が得られたチャンネル候補を前記選局処理部に通知し、前記選局処理部は、複数のチャンネル候補のうちユーザにより選択されたチャンネル候補を目的のチャンネルとして前記チューナに選局させることが好ましい。
【００１９】
この構成によれば、最小の差分値が得られたチャンネルだけでなく、最小の差分値に近い差分値が得られたチャンネルを目的のチャンネルに対するチャンネル候補として、複数のチャンネル候補の中から目的のチャンネルをユーザが選択することが可能となる。
【００２０】
本発明に係る携帯端末において、前記カメラから出力されるカメラ画像データは静止画データであることが好ましい。
【００２１】
この構成によれば、動画データを静止画データに変換する回路が不要となり、回路規模を低減することができる。
【発明の効果】
【００２２】
本発明によれば、ユーザが自身の携帯端末以外のテレビで視聴しているテレビ画面をカメラで撮影することで、手動でのチャンネル選択や、ＥＰＧデータを用いたチャンネル選択を行うことなく、自動で目的のチャンネルを選局して、自身の携帯端末で同じ番組を引き続き視聴することが可能となる。
【発明を実施するための最良の形態】
【００２３】
以下、本発明の実施の形態について、図面を参照しながら説明する。
【００２４】
（実施の形態１）
図１は、本発明の実施の形態１にかかる携帯端末の機能構成を示すブロック図である。
【００２５】
本実施の形態１にかかる携帯端末は、カメラ１００と、カメラ制御部１０１と、カメラ画像データ処理部１０２と、カメラ画像データ記録部１０３と、チューナ１０４と、チューナ制御部１０５と、トランスポートストリーム（ＴＳ）データ受信部１０６と、デコード処理部１０７と、放送画像データ記録部１０８と、サンプリング画像補正処理部１０９と、画像比較処理部１１０と、選局処理部１１１と、表示制御部１１２と、表示部１１３と、ＥＰＧデータ保持部１１４とから構成される。
【００２６】
カメラ１００は、カメラ制御部１０１により制御され、自身の携帯端末以外の、たとえばデジタル放送受信装置（図示しない）の画面（他のテレビ画面）上の表示画像（テレビ画像）を撮影する。撮影によりカメラ１００から出力された動画データは、カメラ画像データ処理部１０２で複数の静止画データに変換されて、カメラ画像データ記録部１０３に格納される。
【００２７】
チューナ１０４は、チューナ制御部１０５により制御され、任意のチャンネルのデジタル放送波を選択する。チューナ１０４により選択されたデジタル放送波は、ＴＳデータ受信部１０６でＴＳデータに復調される。復調されたＴＳデータは、デコード処理部１０７で放送画像データにデコードされ、複数の静止画データとして放送画像データ記録部１０８に格納される。
【００２８】
サンプリング画像補正処理部１０９は、カメラ１００により撮影され取得したカメラ画像データと、チューナ１０４により選択され取得した放送画像データとの同時刻性を補正するための処理を行う。なお、処理の詳細に付いては後述する。
【００２９】
画像比較処理部１１０は、カメラ画像データと放送画像データとを比較し、同一画像かどうかを判定するために、チューナ１０４によりチャンネルを切り替えながら、チャンネル毎の放送画像データとカメラ画像データとの差分値を算出し、少なくとも最小の差分値が得られたチャンネルを目的のチャンネルに対するチャンネル候補として通知する。ここで、差分値の算出は、一つのチャンネルに対して、放送画像データ記録部１０８から読み出した複数の放送画像データのそれぞれとカメラ画像データ記録部１０３から読み出した複数のカメラ画像データのそれぞれについて行われる。
【００３０】
選局処理部１１１は、チューナ制御部１０５および表示制御部１１２の制御を行い、実際のチャンネル選局や、表示部１１３への画像表示を行う。選局処理部１１１は、ＥＰＧデータ保持部１１４に保持されている物理チャンネルと対応する放送局名の情報から有効なチャンネルを参照することで、チャンネル選局を行う。
【００３１】
図２は、ユーザがカメラ１００によりテレビ画面を撮影してから自動でチャンネル選局を行いその番組を表示するまでの処理手順を示すフローチャートである。
【００３２】
図２において、現在地域でデジタル放送が視聴可能なチャンネル情報を得るため、ＥＰＧデータをあらかじめ自動的に獲得し、ＥＰＧデータ保持部１１４に保持している（ステップＳ２０１）。
【００３３】
ＥＰＧデータ保持部１１４は、図３に示すように放送の物理チャンネル（ｃｈ）と放送局名とを対応付けて保持するとともに、図４に示すように放送局名と番組とを対応付けて保持している。また、ＥＰＧデータ保持部１１４は、図５に示すように、ジャンルごとに番組をカテゴリ分けして保持することも可能である。ジャンルごとに番組をカテゴリ分けした情報を用いて、ユーザがあらかじめジャンルを指定し、自動チャネル選択を行う際に、指定されたジャンルのみから番組を選局することで、チャンネルの検索時間が短くなるという利点がある。
【００３４】
次に、ユーザは、自身の携帯端末以外のデジタル放送受信装置で視聴していた番組を、引き続き自身の携帯端末で視聴しようとした場合、メニュー操作またはキー入力操作によって、自動選局モードに遷移する（ステップＳ２０２）。
【００３５】
自動選局モードに遷移すると、図６に示すように、ガイドが付いたカメラ撮影画面が表示部１１３に表示され、ユーザは、このガイド内にデジタル放送受信装置のTV画面が収まるようにカメラ１００の位置や倍率などを調整する（ステップ２０３）。
【００３６】
この状態でユーザのキー入力操作により自動選局が開始される（ステップＳ２０４）。自動選局が開始すると、チューナ制御部１０５が、チューナ１０４に指定チャンネルを選局させるとともに、ユーザはカメラ１００でテレビ画面の動画撮影を開始する（ステップＳ２０５）。これは、選局のためのチューニング処理と、動画の撮影処理を同時に開始するということである。図７は、チューナ制御部１０５による選局処理の手順を示すフローチャートである。
【００３７】
図７において、ＥＰＧデータを取得済みであるか否かを判断し（ステップＳ７０１）、ＥＰＧデータを取得していない場合（ステップＳ７０１の判断でＮＯ）、物理チャネル１３（図３）から順に次の物理チャネルを取得し（ステップＳ７０２）、取得した物理チャンネルにチューナ制御部１０５がチューナ１０４をチューニングする（ステップＳ７０６）。
【００３８】
一方、ステップＳ７０１にて、ＥＰＧデータを取得済みである場合（ＹＥＳ）、ユーザがジャンルを指定するか否かを判断し（ステップ７０３）、ジャンルを指定しない場合（ステップＳ７０３の判断でＮＯ）、ＥＰＧデータ保持部１１４から有効な次の物理チャンネルを取得し（ステップＳ７０４）、取得した物理チャンネルにチューナ制御部１０５がチューナ１０４をチューニングする（ステップＳ７０６）。
【００３９】
また、ステップＳ７０３にて、ユーザがジャンルを指定する場合（ＹＥＳ）、ＥＰＧデータ保持部１１４から指定ジャンルの有効な次の物理チャンネルを取得し（ステップＳ７０５）、取得した物理チャンネルにチューナ制御部１０５がチューナ１０４をチューニングする（ステップＳ７０６）。ＥＰＧデータ保持部１１４から取得する有効な次の物理チャンネル情報について、ユーザがジャンルを事前に指定し、図５に示すジャンル毎の番組表から有効なチャンネルを選択することで、実際にサーチするチャンネル数が少なくなるため、ユーザのキー操作により自動選局が始まってから、完了するまでの時間を短縮することができるという利点がある。
【００４０】
再び、図２に戻って、撮影またはプレビューによってカメラ１００から取り込まれたカメラ画像データが、カメラ画像データ記録部１０３に所定数格納されるとともに、ＥＰＧデータ保持部１１４に保持されているＥＰＧデータをもとに視聴可能な全てのチャンネルについてデジタル放送波の受信を開始し、放送画像データが放送画像データ記録部１０８に所定数格納される（ステップＳ２０６）。カメラ画像データは、カメラ１００から取り込まれた画像について、図６に示すガイド内部の画像を切り出して、カメラ画像データ記録部１０３に格納される。
【００４１】
ここで、カメラ画像データおよび放送画像データの所定数は、サンプリング画像補正処理部１０９によって規定されている。サンプリング画像補正処理部１０９は、カメラ１００によるテレビ画像の取り込みからカメラ画像データ記録部１０３へのカメラ画像データの格納までの時間Ｔｃと、チューナ１０４によるデジタル放送波の選局から放送画像データ記録部１０８への放送画像データの格納までの時間Ｔｏを固定値として保持しており、カメラ１００が撮影するテレビ画面の表示更新周期をＴｔとして管理している。各チャンネルにおけるカメラ画像データおよび放送画像データの所定数は、各チャンネルにおける画像取得時間をＴｔ×Ｎ（Ｎは所定数を決める係数）と規定することで決定される。ここで、Ｔｔ×ＮはＴｃおよびＴｏよりも十分大きい値とする。
【００４２】
図８は、Ｎを５に設定した場合における、テレビ画面の表示画像の表示更新周期Ｔｔ、カメラ１００によるテレビ画面の取り込みからカメラ画像データ記録部１０３へのカメラ画像データの格納までの時間Ｔｃ、およびチューナ１０４によるデジタル放送波の選局から放送画像データ記録部１０８への放送画像データの格納までの時間Ｔｏの関係を示すタイミングチャートである。
【００４３】
カメラ画像データと放送画像データは、それぞれ、カメラ画像データ記録部１０３と放送画像データ記録部１０８に対して並列に記録処理が行われる。並列に記録処理を行うことで、カメラ画像と放送画像が同時刻の画像であると保証することができる。画像取得時間Ｔｔ×Ｎの間（図８のＸＸからＹＹの間）に、カメラ１００で撮影して得られたカメラ画像データがカメラ画像データ記録部１０３に格納され、チューナ１０４で選局して得られた放送画像データが放送画像データ記録部１０８に格納される。
【００４４】
次に、画像比較処理部１１０で、一つのチャンネルについて、カメラ画像データ記録部１０３から読み出した所定数のカメラ画像データのそれぞれと、放送画像データ記録部１０８から読み出した所定数の放送画像データのそれぞれとの差分値が算出される（ステップＳ２０７）。差分値は、それぞれの画像データを白黒のグレースケールに変換したものを比較、またはそれぞれの画像データに輪郭強調などのデータ処理を施して比較を行うことで算出される。
【００４５】
次に、受信可能な全チャンネルについて差分値を算出したか否かを判断し（ステップＳ２０８）、全チャンネルについて差分値の算出が完了していない場合（ステップＳ２０８の判断でＮＯ）は、次のチャンネルについて、ステップＳ２０５からＳ２０７の処理を継続する。図９は、ステップＳ２０５における次のチャンネルへのチャンネル切り替えとカメラ撮影開始、ステップＳ２０６におけるカメラ画像データと放送画像データの格納、カメラ撮影停止、およびステップＳ２０７におけるカメラ画像データと放送画像データとの差分値算出処理のタイミングチャートである。
【００４６】
ステップＳ２０８の判断で、全チャンネルについての差分値の算出が完了している場合（ＹＥＳ）、画像比較処理部１１０は、全チャンネルについて算出された差分値のうち、少なくとも最小の差分値が得られたチャンネルを、目的のチャンネルに対するチャンネル候補として選択し、選局処理部１１１に通知する（ステップＳ２０９）。
【００４７】
次に、選局処理部１１１は、チューナ制御部１０５を制御し、チューナ１０４に受信チャネルを目的のチャネルに固定させる（ステップＳ２１０）。また、選局処理部１１１は、表示制御部１１２に対して画像出力を指示することで、表示部１１３に目的のチャンネルの番組が表示され（ステップＳ２１１）、ユーザは、デジタル放送受信装置で視聴していた番組と同じ番組を引き続き視聴することができる。
【００４８】
なお、画像比較処理部１１０は、最小の差分値が得られたチャンネル候補とともに、最小の差分値との差が所定値以内である差分値が得られたチャンネル候補を選局処理部１１１に通知し、選局処理部１１１は、図１０に示すように、複数のチャンネル候補を表示部１１３に表示させ、ユーザが、複数のチャンネル候補の中から目的のチャンネルを選択することも可能である。ここで、放送画像データ記録部１０８に格納されている放送画像データを番組のサムネイル画像として、また、放送局名、チャンネル番号等を表示部１１３に表示することにより、ユーザのチャンネル選択操作が容易になる。
【００４９】
なお、チャンネルを切り替えながらカメラ画像データと放送画像データとの差分値を算出する際に、カメラ画像と放送画像を携帯端末の表示部１１３に表示することで、ユーザが手動でチャンネルを選択するようにしてもよい。
【００５０】
なお、図２に示すステップを含む処理は、半導体メモリ、光ディスクなどの記憶媒体に格納されたチャンネル自動選局プログラムによりコンピュータ上で実行される。
【００５１】
（実施の形態２）
本実施の形態では、カメラ１００から出力されるカメラ画像データが静止画データであり、実施の形態１の図１に示す、動画データを静止画データに変換するカメラ画像データ処理部１０２を削除した構成について例示および説明する。なお、本実施の形態の他の機能構成は、図１に示す実施の形態１のものと同じである。
【００５２】
図１１は、表示更新周期Ｔｔ×ＮのNを２に設定した場合における、テレビ画面の表示画像の表示更新周期Ｔｔ、カメラ１００によるテレビ画面の取り込みからカメラ画像データ記録部１０３へのカメラ画像データの格納までの時間Ｔｃ、およびチューナ１０４によるデジタル放送波の選局から放送画像データ記録部１０８への放送画像データの格納までの時間Ｔｏの関係を示すタイミングチャートである。この場合は、１枚のカメラ画像データ（静止画データ）と放送画像データとの差分値が算出される。差分値を算出する画像データの枚数については、所定数を決める係数Nにより変わるが、処理自体において実施の形態１との差は無い。
【００５３】
（実施の形態３）
本実施の形態では、カメラ画像データと放送画像データとの差分値の算出について、あるチャンネルについて算出された差分値が一定の閾値以下であると判断した場合、次のチャンネルについて差分値を算出しない構成について例示および説明する。なお、本実施の形態の機能構成は、図１に示す実施の形態１のものと同じである。
【００５４】
図１２は、ユーザがカメラ１００によりテレビ画面を撮影してから自動でチャンネル選局を行いその番組を表示するまでの処理手順を示すフローチャートである。なお、図１２において、図２に示す処理手順と同じものについては、同じ符号を付して説明を省略する。
【００５５】
本実施の形態が実施の形態１と異なるのは、ステップＳ２０７で、画像比較処理部１１０が、あるチャンネルについてカメラ画像データと放送画像データとの差分値を算出した後、算出した差分値が一定の閾値以下であるか否かを判断する（ステップ１２０１）手順を追加し、画像比較処理部１１０は、算出した差分値が一定の閾値以下である場合（ステップ１２０１の判断でＹＥＳ）に、一定の閾値以下の差分値が得られたチャンネルを目的のチャンネルとして選局処理部１１１に通知する（ステップＳ１２０２）点にある。
【００５６】
なお、図１２に示すステップを含む処理は、半導体メモリ、光ディスクなどの記憶媒体に格納されたチャンネル自動選局プログラムによりコンピュータ上で実行される。
【産業上の利用可能性】
【００５７】
本発明にかかる携帯端末およびプログラムは、ユーザが自身の携帯端末以外のデジタル放送受信装置で視聴している画像をカメラで撮影することで、手動でのチャンネル選択や、ＥＰＧデータを用いたチャンネル選択を行うことなく、自動で目的のチャンネルを選局して、自身の携帯端末で同じ番組を引き続き視聴することができるという利点を有し、カメラが内蔵された携帯電話、カメラが接続されたノートＰＣなどのデジタル放送受信機能を有する携帯端末等として有用である。
【図面の簡単な説明】
【００５８】
【図１】本発明の各実施の形態にかかる携帯端末の機能構成を示すブロック図
【図２】本発明の実施の形態１において、ユーザがカメラによりテレビ画面を撮影してから自動でチャンネル選局を行いその番組を表示するまでの処理手順を示すフローチャート
【図３】本発明の各実施の形態における、ＥＰＧデータ保持部に保持される物理チャンネルと対応する放送局名を示すテーブル
【図４】本発明の各実施の形態における、ＥＰＧデータ保持部に保持される放送局名と番組の関連情報を示すテーブル
【図５】本発明の各実施の形態における、ＥＰＧデータ保持部に保持される番組のジャンルと放送局名の関連情報を示すテーブル
【図６】本発明の各実施の形態にかかる携帯端末の表示部に表示されるカメラ撮影画像のガイドを示す模式図
【図７】本発明の各実施の形態におけるチャンネル選局の処理手順を示すフローチャート
【図８】本発明の実施の形態１における、テレビ画面の表示画像の表示更新周期Ｔｔ、カメラよるテレビ画面の取り込みからカメラ画像データ記録部へのカメラ画像データの格納までの時間Ｔｃ、およびチューナによるデジタル放送波の選局から放送画像データ記録部への放送画像データの格納までの時間Ｔｏの関係を示すタイミングチャート
【図９】本発明の実施の形態１における、次のチャンネルへのチャンネル切り替えとカメラ撮影開始、カメラ画像データと放送画像データの格納、カメラ撮影停止、およびカメラ画像データと放送画像データとの差分値算出処理のタイミングチャート
【図１０】本発明の実施の形態１において、ユーザが複数のチャンネル候補の中から目的のチャンネルを選択する画面を示す図
【図１１】本発明の実施の形態２における、テレビ画面の表示画像の表示更新周期Ｔｔ、カメラよるテレビ画面の取り込みからカメラ画像データ記録部へのカメラ画像データの格納までの時間Ｔｃ、およびチューナによるデジタル放送波の選局から放送画像データ記録部への放送画像データの格納までの時間Ｔｏの関係を示すタイミングチャート
【図１２】本発明の実施の形態３において、ユーザがカメラによりテレビ画面を撮影してから自動でチャンネル選局を行いその番組を表示するまでの処理手順を示すフローチャート
【符号の説明】
【００５９】
１００    カメラ
１０１    カメラ制御部
１０２    カメラ画像データ処理部
１０３    カメラ画像データ記録部
１０４    チューナ
１０５    チューナ制御部
１０６    ＴＳデータ受信部
１０７    デコード処理部
１０８    放送画像データ記録部
１０９    サンプリング画像補正処理部
１１０    画像比較処理部
１１１    選局処理部
１１２    表示制御部
１１３    表示部
１１４    ＥＰＧデータ保持部
【図１】
2008005250.tif 000003
【図２】
2008005250.tif 000004
【図３】
2008005250.tif 000005
【図４】
2008005250.tif 000006
【図５】
2008005250.tif 000007
【図６】
2008005250.tif 000008
【図７】
2008005250.tif 000009
【図８】
2008005250.tif 000010
【図９】
2008005250.tif 000011
【図１０】
2008005250.tif 000012
【図１１】
2008005250.tif 000013
【図１２】
2008005250.tif 000014